(57)【要約】      （修正有）【課題】防水可能で、金属カバーが小体積の電気コネクタを提供する。【解決手段】本電気コネクタは、接続コネクタを挿入するのに用いるものである。電気コネクタには、端子台と、モールド内で端子台上に取り付けた複数個の端子と、端子台の周囲を包覆する第一絶縁カバー体３０と、該第一絶縁カバー体の後部端を閉鎖する第二絶縁カバー体４０と、モールド内で第一絶縁カバー体に成型する金属カバー体５０とを備える。第一絶縁カバー体の前表面には、後ろに向かう接続口３１を開設し、金属カバー体には、両側の上方向に収容カバーをそれぞれプレス成形した上カバー５１と、両側に収容カバーに対応する貫通溝を設けた下カバー５２とを備え、上カバーと下カバーはいずれも、板状をなし、溶接し結合させ、貫通溝と接続口とをつながらせる。挟持部材は、貫通溝箇所を挟み込み、収容カバー内におさめる。本電気コネクタは、防水機能が良好で、金属カバー体の体積が比較的小さいものである。【選択図】図２
0003170909.tif 000002
【実用新案登録請求の範囲】
【請求項１】
接続コネクタを挿入するのに用いる電気コネクタは、
端子台と、
モールド内で端子台上に取り付ける複数個の端子と、
端子台の周囲を包覆し、前表面に後ろに向かう接続口を開設する第一絶縁カバー体と、第一絶縁カバー体の後部端を閉鎖する第二絶縁カバー体と、
モールド内で第一絶縁カバー体に成型し、両側の上方向に収容カバーをそれぞれプレス成形した上カバーと、両側に収容カバーに対応する貫通溝を設けた下カバーとを備え、上カバーと下カバーはいずれも、板状をなし、溶接結合をし、貫通溝と接続口とをつながらせる金属カバー体と、を備えることを特徴とする電気コネクタ。
【請求項２】
前記下カバーの下表面と接続口の上側面とはフラット状態でそろっていることを特徴とする請求項１に記載の電気コネクタ。
【請求項３】
前記端子台には、塊状の本体を備え、本体の先端面には、前方向に突出する舌部を形成し、本体の両側には嵌合体を突出させ、
また、第一絶縁カバー体の後ろ表面には、接続口につながり、前方に向かう開孔を設け、第一絶縁カバー体の後ろ表面の、開孔の周囲側面には、端子台の本体を嵌入支持するための嵌合部を突設し、端子台の舌部は、開孔を貫通して接続口内に延伸し、嵌合部の両側には、端子台の嵌合体に組み合わせるための凹部を設けることを特徴とする請求項１に記載の電気コネクタ。
【請求項４】
前記第一絶縁カバー体の上表面には、後方に向かって貫通する嵌合凹部を設け、第二絶縁カバー体には、後部蓋と、後部蓋の上端から延伸し、第一絶縁カバー体の嵌合凹部に組み合わせる嵌入支持部とを備え、後部蓋は第一絶縁カバー体の後部端を封鎖することを特徴とする請求項１に記載の電気コネクタ。
【請求項５】
前記電気コネクタは、さらに、少なくとも二つの半田付け補助片を有し、前記第一絶縁カバー体の上表面の両側には、下方向に貫通する装着穴を設け、半田付け補助片は、装着穴を貫通して、その下端を第一絶縁カバー体の外側に露出させることを特徴とする請求項１に記載の電気コネクタ。
【考案の詳細な説明】
【技術分野】
【０００１】
本考案は、特に、防水可能、且つ、金属カバー体積が小さい電気コネクタに関する。
【背景技術】
【０００２】
ＵＳＢは、通常、デジタルカメラ、携帯電話、ポータブルメディアプレーヤー、マウス、キーボード、ＵＳＢメモリ等の電子機器とパソコン間のデータ交換に用いるもので、言うなれば、ＵＳＢは、現在、パソコン工業およびその他消費性電子産業にとり、応用範囲の最も広範なシリアルバスと言えよう。フラッシュメモリの容量拡大にともない、ＵＳＢの転送速度もまたバージョンアップしている。現在、ＵＳＢはすでに、2.0から3.0にバージョンアップし、理論的にいえば、ＵＳＢ3.0の転送速度は、ＵＳＢ2.0の10倍前後で、ＵＳＢコネクタの体積も、益々縮小化している。使用過程中に液体が電子製品内部に進入するのを避けるため、現在は、電子製品上に取り付けるマイクロＵＳＢのメス側コネクタには、一般に防水機能を設計している。一般の防水機能を備えたＵＳＢのメス側コネクタには、プラスチック製の嵌入支持体の端子台と、嵌入支持体の端子台上に装着した複数個の端子と、嵌入支持体の端子台を包覆する金属カバーと、金属カバー体の外部を包覆するプラスチック製の防水カバー体とを備える。
【０００３】
設計や組み立ての必要性から、上述したＵＳＢのメス側コネクタを携帯電話内部のアンテナ近くに取り付けた時、ＵＳＢのメス側コネクタの金属カバーは、携帯電話のアンテナの機能に影響を及ぼしてしまう。しかし、ＵＳＢのメス側コネクタとＵＳＢのオス側コネクタの着脱機能を確保するために、ＵＳＢのメス側コネクタの金属カバーは必須部品であるため、防水可能で、金属カバーが小体積のＵＳＢのメス側コネクタが必要となる。
【考案の概要】
【考案が解決しようとする課題】
【０００４】
本考案は、前述した従来技術の不足点に対して、防水可能で、金属カバーが小体積の電気コネクタを提供することを目的とする。
【課題を解決するための手段】
【０００５】
前述の目的を実現するために、本考案の提供する電気コネクタは、接続コネクタを挿入するのに用い、接続コネクタの両側にはそれぞれ、挟持部材を備える。電気コネクタには、プラスチック製の端子台と、モールド内で端子台上に取り付けた複数個の端子と、端子台の周囲を包覆する第一絶縁カバー体と、第一絶縁カバー体の後部端を閉鎖する第二絶縁カバー体と、モールド内で第一絶縁カバー体に成型する金属カバー体とを備える。第一絶縁カバー体の前表面には、後ろに向かう接続口を開設し、金属カバー体には、両側の上方向に収容カバーをそれぞれプレス成形した上カバーと、両側に収容カバーに対応する貫通溝を設けた下カバーとを備え、上カバーと下カバーはいずれも、板状をなし、溶接結合をし、貫通溝と接続口とをつながらせる。前記電気コネクタと接続コネクタとを接続する時、接続コネクタの挟持部材は、貫通溝箇所を挟み込み、尚且つ、収容カバー内に挿入される。
【０００６】
前述したとおり、前記電気コネクタは、第一絶縁カバー体を端子台の周囲側面に取り付け、第二絶縁カバー体をモールド内で第一絶縁カバー体の後部端に成型することによって、電気コネクタを密封し、防水効果を達成する。また、金属カバー体は、板状の上カバーと下カバーをレーザー溶接で結合した後、モールド内で第一絶縁カバー体上に成型すると、下カバーの下表面と接続口の上側面とはフラット状態でそろい、上カバーの収容カバーが下カバーの貫通溝上に被覆され、しかも、貫通溝は、接続口とつながった状態となる。前記電気コネクタと接続コネクタをつなぐ時は、接続コネクタの挟持部材は、貫通溝箇所を挟み込み、収容カバー内におさめられ、金属カバー体の体積は比較的小さいものとなり、従来技術と比較しアンテナ信号に対する障害が少ない電気コネクタである。
【考案の効果】
【０００７】
本考案の電気コネクタは、防水可能で、金属カバーの体積が小さく、従来技術と比較し、アンテナ信号に対する障害が少ない効果を奏する。
【図面の簡単な説明】
【０００８】
【図１】本考案の電気コネクタに関する立体図である。
【図２】図１に示した電気コネクタの立体分解図である。
【図３】図１に示した電気コネクタの第一絶縁カバー体の立体図である。
【図４】図１に示した電気コネクタを外部回路板上に取り付けた状態の立体図である。
【考案を実施するための形態】
【０００９】
本考案の技術内容、構造特徴、実現する効果を開示するために、次に、実施例に図面を組み合わせた詳細説明をおこなう。
【実施例】
【００１０】
図１および図２に示すとおり、本考案の電気コネクタは、接続コネクタ（未図示）を挿入するのに用い、接続コネクタの両側にはそれぞれ、挟持部材（未図示）を備える。本実施例中の電気コネクタは、ＵＳＢのメス側コネクタであり、接続コネクタは、ＵＳＢのオス側コネクタである。
【００１１】
前記電気コネクタには、プラスチック製の端子台１０と、端子台１０上に取り付けた複数個の端子２０と、端子台１０の周囲を包覆する第一絶縁カバー体３０と、第一絶縁カバー体３０の後部端を閉鎖する第二絶縁カバー体４０と、モールド内で第一絶縁カバー体３０に成型する金属カバー体５０とを備える。
【００１２】
図２に示したとおり、前記端子台１０には、塊状の本体１１を備え、本体１１の先端面には、前方向に突出する舌部１２を形成する。舌部１２上には後部方向で本体１１を貫通する端子溝（未図示）を設け、本体１１の両側には嵌合体１１１を突出させる。端子２０は、モールド内で端子台１０上に成型する。
【００１３】
図２および図３に示すとおり、第一絶縁カバー体３０の前表面には、後ろに向かう接続口３１を開設し、第一絶縁カバー体３０の後ろ表面には、接続口３１に繋がり、前に向かう開孔３２を設ける。端子台１０の舌部１２は、開孔３２を貫通して接続口３１内に延伸する。第一絶縁カバー体３０の後ろ表面の、開孔３２の周囲側面には、端子台１０の本体１１を嵌入支持するための嵌合部３３を突設し、嵌合部３３の両側には、端子台１０の嵌合体１１１に組み合わせるための凹部３３１を設ける。第一絶縁カバー体３０の上表面には、後方に向かって貫通する嵌合凹部３４を設け、第一絶縁カバー体３０の上表面の両側には下向きに貫通する装着穴３５を開設する。
【００１４】
第二絶縁カバー体４０には、後部蓋４１と、後部蓋４１の上端から延伸する嵌入支持部４２とを備え、第一絶縁カバー体３０の嵌合凹部３４に組み合わせる。
【００１５】
金属カバー体５０には、両側に上向きに前記収容カバー５１１をプレス成形した上カバー５１と、両側に収容カバー５１１に対応する貫通溝５２１を設けた下カバー５２とを備え、上カバー５１と下カバー５２はいずれも、板状をなし、尚且つ、レーザーを用いて溶接し、結合する。金属カバー体５０は、モールド内で、第一絶縁カバー体３０に成型し、下カバー５２の下表面と接続口３１の上側面はフラット状態でそろい、貫通溝５２１と接続口３１とをつながらせる。前記電気コネクタと接続コネクタとを接続する時、接続コネクタの挟持部材は、貫通溝５２１箇所を挟み込み、尚且つ、収容カバー５１１内に挿入される。
【００１６】
前記電気コネクタは、さらに、二つの半田付け補助片６０を有し、それは、装着穴３５を貫通して外部回路板７０に半田付けされる（図４参照）。
【００１７】
本考案の電気コネクタの組み立て時には、まず、端子２０をモールド内で端子台１０に成型し、上カバー５１と下カバー５２をレーザー溶接で結合する。その後、溶接結合した上カバー５１と下カバー５２をモールド内で第一絶縁カバー体３０に成型する。続いて、端子２０を装着した端子台１０を金属カバー体５０を成形した第一絶縁カバー体３０上に取り付ける。舌部１２は、接続口３１内に延伸し、本体１１は嵌合部３３内に嵌合され、嵌合体１１１は凹部３３１内に嵌入される。次に、組み立てを終えた端子台１０と、端子２０と、第一絶縁カバー体３０と、金属カバー体５０とを一緒にモールド内に入れ、第二絶縁カバー体４０をモールド内でその後部端に成型し、後部蓋４１で第一絶縁カバー体３０の後部端を封鎖する。最後に、半田付け補助片６０を装着穴３５に通すと、半田付け補助片６０の下端は第一絶縁カバー体３０の外側に露出する。端子２０と半田付け補助片６０によって、本考案の電気コネクタを外部回路板上に半田付けすることができる。
【００１８】
前述したとおり、本考案の電気コネクタは、第一絶縁カバー体３０を端子台１０の周囲側面に取り付け、第二絶縁カバー体４０をモールド内で第一絶縁カバー体３０の後部端に成型することによって、電気コネクタを密封し、防水効果を達成する。また、金属カバー体５０は、板状の上カバー５１と下カバー５２をレーザー溶接で結合した後、モールド内で第一絶縁カバー体３０上に成型すると、下カバー５２の下表面と接続口３１の上側面とはフラット状態でそろい、上カバー５１の収容カバー５１１が下カバー５２の貫通溝５２１上に被覆され、しかも、貫通溝５２１は、接続口３１とつながった状態となる。前記電気コネクタと接続コネクタをつなぐ時は、接続コネクタの挟持部材は、貫通溝５２１箇所を挟み込み、収容カバー５１１内におさめられる。これにより、体積の比較的小さな金属カバー体は、好ましい着脱効果を実現し、従来技術と比較しアンテナ信号に対する障害の少ないものである。
【符号の説明】
【００１９】
１０      端子台
１１      本体
１１１    嵌合体
１２      舌部
２０      端子
３０      第一絶縁カバー体
３１      接続口
３２      開孔
３３      嵌合部
３３１    凹部
３４      嵌合凹部
３５      装着穴
４０      第二絶縁カバー体
４１      後部蓋
４２      嵌入支持部
５０      金属カバー体
５１      上カバー
５１１    収容カバー
５２      下カバー
５２１    貫通溝
６０      半田付け補助片
７０      外部回路板
【図１】
0003170909.tif 000003
【図２】
0003170909.tif 000004
【図３】
0003170909.tif 000005
【図４】
0003170909.tif 000006